(57)【要約】      （修正有）【課題】内フタの中央から洗濯兼脱水槽内に温風を吐出させる場合、水槽カバーや内フタのそのものの一部を温風ダクトに形成することで簡単な構造で温風の風路を形成でき、シール性も十分確保できる洗濯乾燥機を得る。【解決手段】外箱内に水槽を揺動自在に吊下げ、底部に攪拌翼を配設した洗濯兼脱水槽を前記水槽内に配設し、前記水槽の水槽カバーに形成された衣類投入口を内フタで開閉自在に覆い、前記内フタの中央から温風を洗濯兼脱水槽内に吹出す洗濯乾燥機において、前記内フタ５の一部を二重構造として温風ダクト１１に形成するとともに、水槽カバー４の一部も二重構造として温風ダクト８に形成し、前記両温風ダクト１１、８を連通させて温風の風路を形成し、内フタ５の下部中央に設けた温風吹出し口１３に温風の吹出し方向を規制するリブ１４を設けた。【選択図】図３
2008029372.tif 000002
【特許請求の範囲】
【請求項１】
外箱内に水槽を揺動自在に吊下げ、底部に攪拌翼を配設した洗濯兼脱水槽を前記水槽内に配設し、洗濯兼脱水槽の下方にギヤ、クラッチなどの機構を介してモータを配設し、前記水槽の水槽カバーに形成された衣類投入口を内フタで開閉自在に覆い、前記内フタの中央から温風を洗濯兼脱水槽内に吹出す洗濯乾燥機において、前記内フタの一部を二重構造として温風ダクトに形成するとともに、水槽カバーの一部も二重構造として温風ダクトに形成し、前記両温風ダクトを連通させて温風の風路を形成し、内フタの下部中央に設けた温風吹出し口に温風の吹出し方向を規制するリブを設けたことを特徴とする洗濯乾燥機。
【請求項２】
前記温風の風路は、内フタを閉じると水槽カバー側の温風ダクトの吐出口と内フタ側の温風ダクトと流入口とが接続されて風路が形成されることを特徴とする請求項１記載の洗濯乾燥機。
【請求項３】
水槽カバー側の温風ダクト内にその吹出し口に至るように整流および異物侵入防止用の複数本のリブを設けることを特徴とする請求項１または請求項２記載の洗濯乾燥機。
【請求項４】
水槽カバー側の温風ダクト内で乾燥ユニットとの接続風路近傍に水の浸入防止用のリブを設けることを特徴とする請求項１から請求項３のいずれかに記載の洗濯乾燥機。
【発明の詳細な説明】
【技術分野】
【０００１】
本発明は、洗濯乾燥機の特に温風ダクト構造に関するものである。
【背景技術】
【０００２】
一般に、洗濯機は外箱内に水槽を揺動自在に吊下げ、底部に攪拌翼を配設した洗濯兼脱水槽を前記水槽内に配設し、洗濯兼脱水槽の下方にギヤ、クラッチなどの機構を介してモータを配設し、前記外箱の上面に取り付けたトップカバーで形成される開口をフタで開閉自在に覆い、また、水槽カバーに形成される衣類投入口を内フタで開閉自在に覆うものである。
【０００３】
ところで、乾燥機の機能をも備えた洗濯乾燥機では、乾燥行程で洗濯兼脱水槽内に温風を送るが、温風を供給する手段としては、従来、例えば、外箱にヒータなどの加熱手段を配設して、この加熱手段に空気を取り込んで加熱して温風とし、加熱手段からダクトを介して洗濯兼脱水槽の上部に配設される内ふたに設けた吹出し口に送り、ここから洗濯兼脱水槽内に吐出している。
【０００４】
そして、この吹出し口は、洗濯兼脱水槽内の衣類に満遍なく温風が当るよう、内蓋の中央に配設されるものがある（例えば特許文献１参照）。
【特許文献１】特開平１１−３００８１号公報
【発明の開示】
【発明が解決しようとする課題】
【０００５】
内フタの中央に温風の吹出し口を設ける場合、この中央位置まで温風を導くダクトが別途配設する必要がある。また、内フタは開閉機能を備えるものであるため、内フタの開閉に追随して吹出し口も上下に移動することになる。そのため、ダクトもフレキシブルなものにする必要があったり、シール性が要求されるなど、構造的に複雑なものとなり、コストもかかるものになっている。
【０００６】
本発明は前記従来例の不都合を解消するものとして、内フタの中央から洗濯兼脱水槽内に温風を吐出させる場合、水槽カバーや内フタのそのものの一部を温風ダクトに形成することで簡単な構造で温風の風路を形成でき、シール性も十分確保できる洗濯乾燥機を提供するものである。
【課題を解決するための手段】
【０００７】
本発明は前記目的を達成するものとして、外箱内に水槽を揺動自在に吊下げ、底部に攪拌翼を配設した洗濯兼脱水槽を前記水槽内に配設し、洗濯兼脱水槽の下方にギヤ、クラッチなどの機構を介してモータを配設し、前記水槽の水槽カバーに形成された衣類投入口を内フタで開閉自在に覆い、前記内フタの中央から温風を洗濯兼脱水槽内に吹出す洗濯乾燥機において、前記内フタの一部を二重構造として温風ダクトに形成するとともに、水槽カバーの一部も二重構造として温風ダクトに形成し、前記両温風ダクトを連通させて温風の風路を形成し、内フタの下部中央に設けた温風吹出し口に温風の吹出し方向を規制するリブを設けたことを特徴とする。
【発明の効果】
【０００８】
以上述べたように本発明の洗濯乾燥機は、水槽カバーや内フタそのものの内部を温風ダクトに形成したから別途ダクトを配管する必要がなく、機密性を確保するための構造が不要であり、また、内フタを閉じれば、水槽カバー側に形成した温風ダクトに内フタ側に形成した温風ダクトが連結されて風路を形成できるから、簡単な構造でシール性のある風路が形成できる。
【０００９】
さらに、内フタの中央に設けた温風吐出口には温風の吹出し方向を規制するリブを設けたから、洗濯兼脱水槽内の最適な方向に温風を供給できる。
【発明を実施するための最良の形態】
【００１０】
以下、図面について本発明の実施形態を詳細に説明する。図１は本発明の洗濯乾燥機の実施形態を示す全体斜視図、図２は同上要部である内フタを開いた状態の正面側の斜視図で、洗濯乾燥機の全体構成は従来と同様に、外箱１内に水槽を揺動自在に吊下げ、底部に攪拌翼２を配設した洗濯兼脱水槽３前記水槽内に配設し、洗濯兼脱水槽の下方にギヤ、クラッチなどの機構を介してモータを配設している。
【００１１】
また、水槽の上面開口である衣類投入口を覆う内フタ５を水槽カバー４に開閉自在に軸着し、外箱１の上面に取り付けたトップカバー７の開口をフタ６で開閉自在に覆っている。
【００１２】
かかる構成の洗濯乾燥機において、前記水槽カバー４の後部の一部を上板と下板とで構成する二重構造とし、上板と下板との間に空隙を設け、図３に示すようにこの空隙を水槽カバー側の温風ダクト８に形成した。
【００１３】
図中９は例えばヒータなどの加熱手段を備える乾燥ユニットに接続する開口であり温風の取入れ口となる接続風路を示す。また、１０は後述の内フタ５の側に形成される温風ダクトに連通する温風の吐出口を示す。
【００１４】
内フタ５の側の一部も上板と下板とで構成する二重構造として、上板と下板との間に空隙を設け、図３に示すようにこの空隙を水槽カバー側の温風ダクト１１に形成した。そして、この温風ダクト１１への水槽カバー４側の温風ダクト８の吐出口１０からの温風の取入れ口１２を吐出口１０の位置に対応させて内フタ５の後端部に設け、温風の吹出し口１３を内フタ５の中央に位置させて下板に形成した。
【００１５】
この吹出し口１３には温風の吹出し方向を規制するリブ１４を複数設ける。
【００１６】
また、図４に示すように水槽カバー４側の温風ダクト８の吐出口１０近傍には、この吐出口１０に至るように複数本の縦リブ１７を温風の整流のため、および内フタ５を開いた状態で図１、図２に示すように前面に露出する吐出口１０に対して指や異物の入り込みを防止するためのものとして設けた。
【００１７】
さらに、この縦リブ１７の上流側で乾燥ユニットとの接続風路９の近傍に、該接続風路９側への水の浸入防止用のリブ１８を設ける。
【００１８】
以上のようにして内フタ５を閉じた状態では、水槽カバー４側の吐出口１０と内フタ５側の取入れ口１２とが接続することで、水槽カバー４側に形成してある温風ダクト８と内フタ５側に形成してある温風ダクト１１とが接続し、水槽カバー４と内フタ５とにより連続する温風ダクトが自動的に形成される。
【００１９】
よって、乾燥ユニットから温風を水槽カバー４側の温風ダクト８に送れば、内フタ５側の温風ダクト１１に供給され、中央の吹出し口１３から洗濯兼脱水槽３内に温風が吹出す。
【００２０】
このとき、温風ダクト８には整流用の縦リブ１７が設けてあるから、乾燥ユニットの接続風路９から温風ダクト８に送られた温風は、縦リブ１７にそって流れ、内フタ５側の温風ダクト１１にスムーズに流入する。
【００２１】
また、洗濯兼脱水槽３への吹出し口１３にもリブ１４を設けてあるから、吹出し方向が規制され、洗濯兼脱水槽３内の最適な方向に温風を供給できる。
【００２２】
内フタ５を開いた状態では、図２にも示すように水槽カバー４側の温風ダクト８の吐出口１０の開口が前面に露出するが、ここには縦リブ１７が設けてあるから、吐出口１０から内部に指を差込んだり、異物が侵入することなどを防止できる。
【００２３】
吐出口１０からの水の浸入に対しても、リブ１８によりそれ以上奥への浸入が阻止されるから、水が乾燥ユニット側に入り込むことはない。
【図面の簡単な説明】
【００２４】
【図１】本発明の洗濯乾燥機の実施形態を示す洗濯乾燥機のフタおよび内フタを開いた状態の斜視図である。
【図２】本発明の洗濯乾燥機の実施形態を示す要部である内フタを開いた状態の前面側の斜視図である。
【図３】本発明の洗濯乾燥機の実施形態を示す要部である内フタを備える水槽カバーの背面図である。
【図４】本発明の洗濯乾燥機の実施形態を示す要部である内フタを備える水槽カバーの一部を切欠いた一部の平面図である。
【符号の説明】
【００２５】
１  外箱                        ２  攪拌翼
３  洗濯兼脱水槽                ４  水槽カバー
５  内フタ                      ６  フタ
７  トップカバー                ８  温風ダクト
９  接続風路                    １０  吐出口
１１  温風ダクト                １２  取入れ口
１３  吹出し口                  １４  リブ
１７  縦リブ                    １８  リブ
【図１】
2008029372.tif 000003
【図２】
2008029372.tif 000004
【図３】
2008029372.tif 000005
【図４】
2008029372.tif 000006